(57)【要約】【課題】保全内容の決定及び点検計画の作成が容易に可能な設備保全管理具を提供すること。【解決手段】設備保全管理具１は、原子力発電所設備における複数の部品からなる所定の機器の図面を表示する図面表示部２０と、機器で使用されている複数の部品にそれぞれ付された識別情報３２を、図面表示部２０に表示された部品に関連付けて表示する識別情報表示部３０と、識別情報３２と部品名とを関連付けて表示する部品情報表示部４０と、機器の複数の部品に対してそれぞれ実施される複数の保全内容を表示する保全内容表示部５０と、を共通の表示領域に配置してなる印刷物からなる設備保全管理表１０を備え、保全内容表示部５０における保全内容に、複数の保全内容毎に異なる表示態様の識別表示が付されており、部品情報表示部４０の部品の名称及び識別情報表示部３０における識別情報に、保全内容に対応した識別表示と同じ表示態様の識別表示が付されている。【選択図】図２
2015055558.tif 000002
【特許請求の範囲】
【請求項１】
原子力発電所設備における複数の部品からなる所定の機器の図面を表示する図面表示部と、
当該機器で使用されている複数の部品にそれぞれ付された識別情報を、前記図面表示部に表示された前記部品に関連付けて表示する識別情報表示部と、
前記識別情報と前記部品の名称とを関連付けて表示する部品情報表示部と、
前記機器の複数の部品に対してそれぞれ実施される複数の保全内容を表示する保全内容表示部と、を共通の表示領域に配置してなる印刷物を備え、
前記保全内容表示部における前記保全内容に、複数の保全内容毎に異なる表示態様の識別表示が付されており、
前記部品情報表示部における前記部品の名称に、当該部品の名称の部品に対応する前記保全内容表示部に表示された前記保全内容に付された識別表示と同じ表示態様の識別表示が付されており、
前記識別情報表示部における前記識別情報に、当該識別情報に関連付けられた前記部品の名称に付されている識別表示と同じ表示態様の識別表示が付されていることを特徴とする設備保全管理具。
【請求項２】
前記識別表示は、色分けした表示態様であることを特徴とする請求項１記載の設備保全管理具。
【発明の詳細な説明】
【技術分野】
【０００１】
本発明は、原子力発電所の設備の保全管理に用いる設備保全管理具に関する。
【背景技術】
【０００２】
従来、原子力発電設備の保全を行う際に、機器構造図や基礎図、劣化メカニズム整理表、劣化メカニズム機種別管理表、先行機機器データ及び機器取扱説明書等のエビデンスに基づいて保全内容を決定する。そして、保全内容をまとめた点検計画を作成し、その点検計画に基づいて保全作業が実施される。
【０００３】
機器構造図は、原子力発電所設備における機器の構造が描かれた図面であり、基礎図は、その機器を取り付ける基礎が描かれた図面である。劣化メカニズム整理表は、電気事業連合会が作成したものであり、機器分類別の劣化部位におけるメンテナンスの指標をまとめたものである。劣化メカ機種別管理表は、劣化メカニズム整理表で示す劣化部位が、実際の設備おいて具体的にどの部分に対応しているかをまとめたものであり、ユーザによって独自に作成されている。先行機機器データとしては、例えば、１号機から３号機の原子力発電所設備があり、３号機が最新の設備であれば、それ以前から存在する１、２号機の機器のデータ及び他社プラント号機が先行機機器データとなる。機器取扱説明書は、機器の製造元が発行した説明書である。特に、新型の機器については機器取扱説明書が参照されることが多い。
【０００４】
作業担当者は、上記のエビデンスを参照し、機器の部品ごとの保全内容（分解点検、外観点検等）及び保全内容に対応する検知方法（分解点検ならば目視点検をするのか寸法点検をするのか等）を確認しながら保全内容を決定し、点検計画を作成する。
【０００５】
また、従来、この種の技術としては、特許文献１に記載された技術がある。特許文献１によれば、機器・部品の過去の故障・保守実績に基づいた最適保全に関する保全ガイダンスの提出が可能であり、プラント機器・部品の保守・管理に要する労力及び時間を低減でき、その合理化，効率化を計ることができるプラント機器保守管理支援装置について開示されている。
【先行技術文献】
【特許文献】
【０００６】
【特許文献１】特開２０００−２１４９１８号公報
【発明の概要】
【発明が解決しようとする課題】
【０００７】
特許文献１に開示された技術のように、情報支援のためのデータベースを有し、コンピュータを用いてプラント機器の保守管理を行うことにより、原子力発電設備の保全に関するデータ収集が容易に可能となる。
【０００８】
しかしながら、実際に、保全内容を決定するためには、原子力発電所設備以外の要素も考慮する必要があり、更に原子力発電所には極めて高い安全性が求められていることから、支援システムのデータを参考に、最終的には作業員による確認が必要となる。
【０００９】
ところで、図５は、劣化メカニズム整理表の一部を示すものである。図５に示すように、劣化メカニズム整理表は、機器の部品における部位、材料、経年劣化事象、保全項目、現状保全項目、その他多数の項目を備えている。しかし、項目数が多く、また部品の種類も多いことから表自体が大型化している。このため、作業員が目的の劣化部位を探すまで手間がかかる。このため、劣化メカ機種別管理表の作成に手間が掛かっている。
【００１０】
更に、劣化メカ機種別管理表は、実際の機器に対応させるために、劣化メカニズム整理表よりも多くの項目を備えている。このため、劣化メカ機種別管理表は、劣化メカニズム整理表よりも表自体が大型化している。
【００１１】
このように、大きな表から保全対象である部品を確認する必要があるため、点検計画の作成に手間が掛かっていた。更に、部品名を把握しても、部品の取付位置や形状を確認するためには、機器構造図や基礎図を確認する必要があり、更に手間が掛かっていた。
【００１２】
本発明は、このような問題点を解決し、保全内容の決定及び点検計画の作成が容易に可能な設備保全管理具を提供することを目的とする。
【課題を解決するための手段】
【００１３】
前記目的を達成するため、本発明は、次に記載する構成を備えている。
【００１４】
（１）  原子力発電所設備における複数の部品からなる所定の機器の図面を表示する図面表示部と、当該機器で使用されている複数の部品にそれぞれ付された識別情報を、前記図面表示部に表示された前記部品に関連付けて表示する識別情報表示部と、前記識別情報と前記部品の名称とを関連付けて表示する部品情報表示部と、前記機器の複数の部品に対してそれぞれ実施される複数の保全内容を表示する保全内容表示部と、を共通の表示領域に配置してなる印刷物を備え、前記保全内容表示部における前記保全内容に、複数の保全内容毎に異なる表示態様の識別表示が付されており、前記部品情報表示部における前記部品の名称に、当該部品の名称の部品に対応する前記保全内容表示部に表示された前記保全内容に付された識別表示と同じ表示態様の識別表示が付されており、前記識別情報表示部における前記識別情報に、当該識別情報に関連付けられた前記部品の名称に付されている識別表示と同じ表示態様の識別表示が付されていることを特徴とする設備保全管理具。
【００１５】
（１）によれば、図面表示部、識別情報表示部、部品情報表示部及び保全内容表示部が共通の用紙に印刷されている。更に、保全内容表示部において複数の保全内容が保全内容毎に識別可能に識別表示されており、識別情報と、部品情報表示部の部品の名称に対して、部品に対応する保全内容に付された識別表示と同じ識別表示が付されている。このため、作業員は、この共通の印刷物を視認し、識別情報表示部、部品情報表示部に付されている識別表示を確認することによって、部品に対応する保全内容が容易に確認できるようになる。
【００１６】
（２）  （１）において、前記識別表示は、色分けした表示態様であることを特徴とする設備保全管理具。
【００１７】
（２）によれば、共通の保全内容の部品を用紙から容易に見つけ出すことが可能になるため、例えば、点検計画の作成作業に係る時間の短縮化を図ることができる。
【発明の効果】
【００１８】
本発明によれば、保全内容の決定及び点検計画の作成が容易に可能な設備保全管理具を提供することが可能になる。
【図面の簡単な説明】
【００１９】
【図１】本発明の一実施形態における設備保全管理具１の概要を示す説明図である。
【図２】設備保全管理表１０の概要を示す説明図である。
【図３】設備保全管理表１０における図面表示部２０及び識別情報表示部３０の詳細を示す説明図である。
【図４】設備保全管理表１０における部品情報表示部４０の一部を示す図である。
【図５】劣化メカニズム整理表の一部を示す図である。
【発明を実施するための形態】
【００２０】
以下、本発明の実施形態について、図面を参照しながら詳細に説明する。
【００２１】
図１は、本発明の一実施形態における設備保全管理具１の概要を示す説明図である。設備保全管理具１は、原子力発電所設備における複数の部品からなる機器毎に作成される設備保全管理表１０からなる。
【００２２】
設備保全管理表１０は、設備保全管理表１０は、図面表示部２０と、識別情報表示部３０と、部品情報表示部４０と、保全内容表示部５０とを備え、これらの表示部を一枚の用紙に印刷してなる印刷物である。図面表示部２０と、識別情報表示部３０と、部品情報表示部４０と、保全内容表示部５０は、詳細については後述するが、機器構造図１００又は基礎図１０２と、劣化メカニズム整理表１０４と、先行機機器データ１０８と、機器取扱説明書１１０とに基づいて作成される。
【００２３】
機器構造図１００又は基礎図１０２と、劣化メカニズム整理表１０４と、先行機機器データ１０８と、機器取扱説明書１１０とは、従来技術と同様である。
【００２４】
図２は、設備保全管理表１０の概要を示す説明図である。
【００２５】
図面表示部２０は、原子力発電所設備における複数の部品からなる所定の機器の図面を表示するものである。具体的には、機器構造図１００又は基礎図１０２に記載されている図面が、図面表示部２０に表示される。
【００２６】
識別情報表示部３０は、所定の機器で使用されている複数の部品にそれぞれ付された識別情報３２と、識別情報３２に対応する部品から延びる引出線３４とを有しており、識別情報３２と図面表示部２０に表示された部品とが引出線３４によって関連付けて表示されている。
【００２７】
図３は、設備保全管理表１０における図面表示部２０及び識別情報表示部３０の詳細を示す説明図である。識別情報３２は、部品毎に付された固有番号と、この固有番号を囲む円形の枠とによって形成されている。
【００２８】
また、部品情報表示部４０は、図２、図４に示すように、識別情報３２の固有番号と、部品の名称と、材料名と、備考欄とを関連付けて表形式で表示するものである。部品の名称、材料名、及び備考欄に記載するデータは、劣化メカニズム整理表１０４、先行機機器データ１０８及び機器取扱説明書１１０から抽出される。
【００２９】
保全内容表示部５０は、部品に対して実施される保全内容及び検知方法を表形式で表示するものである。具体的に、保全内容表示部５０は、劣化メカニズム整理表１０４の保全項目の欄に記載されている内容を大別して、表形式にまとめたものである。更に、保全内容表示部５０においては、大別した保全内容毎に色分けされている。
【００３０】
また、識別情報表示部３０の識別情報３２及び部品情報表示部４０の各表示項目は色分けされている。この色分けは、保全内容表示部５０における保全内容毎の色分けに対応しており、機器の部品に対応している保全内容表示部５０で示す保全内容に付された色と、前記機器の部品に示している識別情報表示部３０の識別情報３２及び部品情報表示部４０の部品の名称に対して同じ色の識別表示が行われている。
【００３１】
このように、設備保全管理表１０において保全対象の部品が色分けされているため、保全対象の部品を容易に認識することが可能になり、しかも、色によって、保全内容を把握することが可能になる。
【００３２】
次に、設備保全管理表１０について、図２を参照しながらより具体的に説明する。図２の設備保全管理表１０は、原子炉補機冷却海水ポンプ機器に関するものである。
【００３３】
図面表示部２０には、機器構造図１００に記載されている原子炉補機冷却海水ポンプ機器の図面が表示される。
【００３４】
識別情報表示部３０には、図面表示部２０に記載されている原子炉補機冷却海水ポンプ機器の部品から延ばした引出線３４と、引出線３４の端部に記載した識別情報３２とが表示される。なお、本実施形態における固有番号として、機器構造図１００において部品毎に付した番号が適用されている。
【００３５】
保全内容表示部５０には、保全内容（検知方法）という項目が設けられており、この項目に対応付けて具体的内容が表示される。本実施形態によれば、保全内容（検知方法）として、分解点検（目視点検、寸法測定、非破壊試験（ＰＴ））、分解点検（目視点検、寸法測定）、分解点検（目視点検）及び外観点検の４種類が表示されている。また、保全内容表示部５０において、分解点検（目視点検、寸法測定、非破壊試験（ＰＴ））の表示欄は「赤」、分解点検（目視点検、寸法測定）の表示欄は「青」、分解点検（目視点検）の表示欄は「黄」、外観点検の表示欄は「グレー」にそれぞれ色分けされている。この色分けが識別表示に対応する。
【００３６】
部品情報表示部４０には、劣化メカニズム整理表１０４の記載に基づく原子炉補機冷却海水ポンプ機器の部品名及び材質が記載され、更に部品名に対応する識別情報３２の固有番号が記載される。備考の欄には、設備保全管理具１における設備保全管理表１０以外の管理具のいずれかに関連する情報が記載される。例えば、劣化メカニズム整理表１０４に表示されている経年劣化事象に関連付けて付与された劣化事象番号が記載される。
【００３７】
更に、部品情報表示部４０に記載されている部品名の部品において、保全対象となる部品の全項目は、保全内容表示部５０において色分けされたいずれかの色（赤、青、黄、グレー）に色分けされており、保全対象ではない部品については、色分けされていない（白）。
【００３８】
また、識別情報表示部３０においては、部品情報表示部４０における固有番号と同一のる固有番号が記入されている識別情報３２における円形枠が、部品情報表示部４０における固有番号が記入されている欄の色と同色に塗りつぶされている。
【００３９】
これにより、作業員が設備保全管理表１０を視認することにより、どの部品が保全対象であり、どのような保全内容であるかを簡単に把握することが可能になる。例えば、部品情報表示部４０を視認することにより、識別情報３２の固有番号が「１０５０１」の部品が保全対象であり、「黄」に色分けされているため、保全内容が分解点検で検知方法が目視点検であることが把握できる。更に、図面表示部２０を視認することにより、固有番号が「１０５０１」の部品が機器においてどの部位にあるのか容易に把握することが可能になる。同様に、部品情報表示部４０を視認することにより、識別情報３２の固有番号が「４０１００」の部品が保全対象であり、「グレー」に色分けされているため、保全内容が外観点検であることが把握できる。
【００４０】
なお、部品の保全内容について更に詳しい情報を取得したい場合には、機器構造図１００、劣化メカニズム整理表１０４、先行機機器データ１０８及び機器取扱説明書１１０を参照するとよい。
【００４１】
以上説明したように構成された本実施形態によれば、図面表示部２０、識別情報表示部３０、部品情報表示部４０及び保全内容表示部５０を１枚の用紙に印刷することによって、設備保全管理表１０が作成される。この設備保全管理表１０において、保全内容表示部５０における保全内容と、保全内容に関連付けられている部品情報表示部４０における部品の名称と、部品の名称に関連付けられている識別情報３２とを、複数の保全内容毎にグループ分けしてあるため、作業員は、この１枚の設備保全管理表１０を見ることによって、部品に対応する保全内容、変更作業の確認を容易に行うことが可能になる。
【００４２】
また、本実施形態によれば、グループ毎には、それぞれ色分け表示されているため、共通の保全内容の部品を設備保全管理表１０から容易に見つけ出すことが可能になる。このため、点検計画の作成作業に係る時間の短縮化を図ることができる。
【００４３】
なお、本実施形態によれば、一つの機器に対して一枚の設備保全管理表１０が対応しているが、機器によっては、部品点数が多く、識別情報表示部３０や部品情報表示部４０が表示しきれない場合もある。このような場合には、一つの機器に対して複数枚の設備保全管理表１０を対応させてもよい。
【００４４】
ところで、設備保全管理表１０は、コンピュータによって作成され、コンピュータでからの設備保全管理表１０のデータに基づいてプリンタによって印刷された印刷物である。
【００４５】
コンピュータには、設備保全管理表１０を作成するためのソフトウェアが導入されており、このソフトウェアの起動することにより、コンピュータは、設備保全管理表１０を作成するための装置としての機能を果たすようになる。また、プリンタは、大型の用紙が印刷できる機能を備えたものであることが望ましい。
【００４６】
また、機器構造図１００と、基礎図１０２と、劣化メカニズム整理表１０４と、先行機機器データ１０８と、機器取扱説明書１１０とは、電子データとしてコンピュータに記憶されており、特に、劣化メカニズム整理表１０４は、表計算ソフトウェアによって作成されている。
【００４７】
そして、設備保全管理表１０を作成する際には、作業員がコンピュータを操作して、機器構造図１００又は基礎図１０２のデータから必要な図面データを取得して、ディスプレイに表示される作成画面上に貼り付け、更に、引出線３４や識別情報３２を記入する。更に、劣化メカニズム整理表１０４から必要な機器データを取得して部品情報表示部４０を作成し、劣化メカニズム整理表１０４から保全内容のデータを取得して保全内容表示部５０を作成して作成画面上に貼り付ける。最後に、保全内容表示部５０に記載された複数の保全内容毎にそれぞれ対応するグループを色分けすることによって設備保全管理表１０が作成される。
【００４８】
なお、識別情報３２をマウス等の入力装置を操作して画面上でクリックすることにより、固有番号を囲む円形枠の色を変化させる機能を持たせてもよい。また、複数の円形枠を整列させる機能をもたせてもよい。これにより、設備保全管理表１０の作成作業を効率的に行うことが可能になる。
【符号の説明】
【００４９】
１  設備保全管理具
１０  設備保全管理表
２０  図面表示部
３０  識別情報表示部
３２  識別情報
３４  引出線
４０  部品情報表示部
５０  保全内容表示部
【図１】
2015055558.tif 000003
【図２】
2015055558.tif 000004
【図３】
2015055558.tif 000005
【図４】
2015055558.tif 000006
【図５】
2015055558.tif 000007